(57)【要約】【課題】情報の所定の項目のみを処理対象としてバックアップ処理又はリストア処理できるようにすること、また、その実行指示を容易な操作で行えるようにすること。【解決手段】第１のバックアップ処理の実行が指示された場合は、情報記憶手段から情報の複数の項目を全て読み出し外部記憶装置に記憶させ、一方、第２のバックアップ処理の実行が指示された場合は、情報記憶手段からテーブルにて示されたバックアップ処理の対象とする項目を読み出し外部記憶装置に記憶させる。また、外部記憶装置のグループＩＤと記憶しているグループＩＤとが一致する場合に外部記憶手段に記憶されたテーブルを参照し、外部記憶手段からリストア処理の対象とする項目を読み出し情報記憶手段に記憶し、一致しない場合はリストア処理を終了する。【選択図】　図７
2004102465.tif 000002
【特許請求の範囲】
【請求項１】
外部記憶装置とのインターフェースを備え当該インターフェースを介して外部記憶装置へ情報を記憶するバックアップ処理を行う携帯情報端末において、
複数の項目から構成される情報を記憶する情報記憶手段と、
前記情報記憶手段に記憶されている前記情報の複数の項目について予め設定されたバックアップ処理の対象とする項目を示したテーブルを記憶するテーブル記憶手段と、
前記情報を構成する複数の項目全てを対象にした第１のバックアップ処理の実行、又は、予め設定されたバックアップ処理の対象とする項目のみを対象にした第２のバックアップ処理の実行の指示を行うバックアップ処理実行指示手段と、
前記バックアップ処理実行指示手段から前記第１のバックアップ処理の実行が指示された場合は、前記情報記憶手段から前記情報の複数の項目を全て読み出し前記外部記憶装置に記憶させ、一方、前記バックアップ処理実行指示手段から前記第２のバックアップ処理の実行が指示された場合は、前記テーブル記憶手段に記憶された前記テーブルを参照し前記情報記憶手段から前記テーブルにて示されたバックアップ処理の対象とする項目を読み出し前記外部記憶装置に記憶させるバックアップ処理実行手段と
を具備することを特徴とする携帯情報端末。
【請求項２】
前記バックアップ処理手段は、前記第２のバックアップ処理の実行が指示された場合は、前記テーブルにて示されたバックアップ処理の対象とする項目と共に前記テーブルを外部記憶装置に記憶させることを特徴とする請求項１記載の携帯情報端末。
【請求項３】
グループＩＤを記憶するグループＩＤ記憶手段を更に具備し、
前記バックアップ処理手段は、前記第２のバックアップ処理の実行が指示された場合は、前記テーブルにて示されたバックアップ処理の対象とする項目と共に前記テーブル及び前記グループＩＤを外部記憶装置に記憶させることを特徴とする請求項１記載の携帯情報端末。
【請求項４】
外部記憶装置とのインターフェースを備え当該インターフェースを介して前記外部記憶装置に記憶された情報を読み出して本体内部に記憶するリストア処理を行う携帯情報端末において、
複数の項目から構成される情報を記憶する情報記憶手段と、
グループＩＤを記憶するグループＩＤ記憶手段と、
前記リストア処理の実行を指示するリストア処理実行指示手段と、
前記リストア処理実行指示手段から前記リストア処理の実行の指示が行われた場合、前記外部記憶装置に記憶されたグループＩＤが前記グループＩＤ記憶手段に記憶されている前記グループＩＤと一致するか否かを判断するグループＩＤ一致判断手段と、
前記グループＩＤ一致判断手段による判断の結果一致すると判断された場合、前記外部記憶手段に記憶された予め設定されたリストア処理の対象とする項目を示したテーブルを参照し前記外部記憶手段から前記リストア処理の対象とする項目を読み出し前記情報記憶手段に記憶し、一方、前記グループＩＤ一致判断手段による判断の結果一致しないと判断された場合、リストア処理を終了するリストア処理実行手段と
を具備することを特徴とする携帯情報端末。
【請求項５】
外部記憶装置とのインターフェースを備え当該インターフェースを介して外部記憶装置へ情報を記憶するバックアップ処理を行う携帯情報端末にて使用される情報記録制御方法において、
複数の項目から構成される情報を記憶し、
前記情報の複数の項目について予め設定されたバックアップ処理の対象とする項目を示したテーブルを記憶し、
前記情報を構成する複数の項目全てを対象にした第１のバックアップ処理の実行、又は、予め設定されたバックアップ処理の対象とする項目のみを対象にした第２のバックアップ処理の実行の指示を受けつけ、
前記第１のバックアップ処理の実行が指示された場合は、前記情報の複数の項目の全てを読み出し前記外部記憶装置に記憶し、一方、前記第２のバックアップ処理の実行が指示された場合は、前記テーブルを参照し前記情報の中から前記テーブルにて示されたバックアップ処理の対象とする項目を読み出し前記外部記憶装置に記憶する
ことを特徴とする情報記録制御方法。
【請求項６】
前記第２のバックアップ処理の実行に際して、前記テーブルにて示されたバックアップ処理の対象とする項目と共に前記テーブルを外部記憶装置に記憶することを特徴とする請求項５記載の情報記録制御方法。
【請求項７】
グループＩＤを更に記憶し、
前記バックアップ処理の実行が指示された場合は、前記第２のバックアップ処理の実行に際して、前記テーブルにて示されたバックアップ処理の対象とする項目と共に前記テーブル及び前記グループＩＤを外部記憶装置に記憶することを特徴とする請求項５記載の情報記録制御方法。
【請求項８】
外部記憶装置とのインターフェースを備え当該インターフェースを介して前記外部記憶装置に記憶された情報を読み出して本体内部に記憶するリストア処理を行う携帯情報端末にて使用される情報記録制御方法において、
複数の項目から構成される情報を記憶し、
グループＩＤを記憶し、
前記リストア処理の実行の指示を受けつけ、
前記リストア処理の実行の指示が行われた場合、前記外部記憶装置に記憶されたグループＩＤが前記記憶されたグループＩＤと一致するか否かを判断し、
判断の結果一致すると判断した場合、前記外部記憶手段に記憶された予め設定されたリストア処理の対象とする項目を示したテーブルを参照し前記外部記憶手段から前記リストア処理の対象とする項目を読み出して前記本体内部に記憶し、一方、判断の結果一致しないと判断された場合、リストア処理を終了する
ことを特徴とする情報記録制御方法。
【請求項９】
外部記憶装置とのインターフェースを備えたコンピュータを動作させて前記外部記憶装置へ情報を記憶するバックアップ処理をするコンピュータで読取り可能な情報記録制御プログラムであって、
複数の項目から構成される情報を記憶する情報記憶手段と、
前記情報記憶手段に記憶されている前記情報の複数の項目について予め設定されたバックアップ処理の対象とする項目を示したテーブルを記憶するテーブル記憶手段と、
前記情報を構成する複数の項目全てを対象にした第１のバックアップ処理の実行、又は、予め設定されたバックアップ処理の対象とする項目のみを対象にした第２のバックアップ処理の実行の指示を行うバックアップ処理実行指示手段と、
前記バックアップ処理実行指示手段から前記第１のバックアップ処理の実行が指示された場合は、前記情報記憶手段から前記情報の複数の項目を全て読み出し前記外部記憶装置に記憶させ、一方、前記バックアップ処理実行指示手段から前記第２のバックアップ処理の実行が指示された場合は、前記テーブル記憶手段に記憶された前記テーブルを参照し前記情報記憶手段から前記テーブルにて示されたバックアップ処理の対象とする項目を読み出し前記外部記憶装置に記憶させるバックアップ処理実行手段とを、
コンピュータに実現させることを特徴とする情報記録制御プログラム。
【請求項１０】
前記バックアップ処理手段は、前記第２のバックアップ処理の実行が指示された場合は、前記テーブルにて示されたバックアップ処理の対象とする項目と共に前記テーブルを外部記憶装置に記憶させることを特徴とする請求項９記載の情報記録制御プログラム。
【請求項１１】
グループＩＤを記憶するグループＩＤ記憶手段を更に実現させ、
前記バックアップ処理手段は、前記第２のバックアップ処理の実行が指示された場合は、前記テーブルにて示されたバックアップ処理の対象とする項目と共に前記テーブル及び前記グループＩＤを外部記憶装置に記憶させることを特徴とする請求項９記載の情報記録制御プログラム。
【請求項１２】
外部記憶装置とのインターフェースを備えたコンピュータを動作させて前記外部記憶装置に記憶された情報を読み出して本体内部に記憶するリストア処理をするコンピュータで読取り可能な情報記録制御プログラムであって、
複数の項目から構成される情報を記憶する情報記憶手段と、
グループＩＤを記憶するグループＩＤ記憶手段と、
前記リストア処理の実行を指示するリストア処理実行指示手段と、
前記リストア処理実行指示手段から前記リストア処理の実行の指示が行われた場合、前記外部記憶装置に記憶されたグループＩＤが前記グループＩＤ記憶手段に記憶されている前記グループＩＤと一致するか否かを判断するグループＩＤ一致判断手段と、
前記グループＩＤ一致判断手段による判断の結果一致すると判断された場合、前記外部記憶手段に記憶された予め設定されたリストア処理の対象とする項目を示したテーブルを参照し前記外部記憶手段から前記リストア処理の対象とする項目を読み出し前記情報記憶手段に記憶し、一方、前記グループＩＤ一致判断手段による判断の結果一致しないと判断された場合、リストア処理を終了するリストア処理実行手段とを、
コンピュータに実現させることを特徴とする情報記録制御プログラム。
【発明の詳細な説明】
【０００１】
【発明の属する技術分野】
本発明は、外部記憶装置との間でバックアップ処理又はリストア処理を行う情報端末、情報記録制御方法、及び、情報記録制御プログラムに関する。
【０００２】
【従来の技術】
近年、ＰＤＡ（Ｐａｒｓｏｎａｌ　Ｄｅｇｉｔａｌ　Ａｓｓｉｓｔａｎｔ）や携帯無線電話などの携帯情報端末では、端末本体の内部メモリに記憶された複数の項目から構成された情報を外部記憶装置に転送し記憶する処理（以下、バックアップ処理という）や、このバックアップ処理により外部記憶装置に記憶されている情報を読み出して端末本体の内部メモリに記録する処理（以下、リストア処理という）を行う機能を備えたものがある。外部記憶装置としては、メモリカードやＰＣが用いられている。携帯情報端末の本体には、ＩＣカード形状をした小型のメモリカードを接続可能に収納するカードスロットや、ＰＣ（パーソナルコンピュータ）と接続可能なインターフェースを備えている。
【０００３】
このような従来の携帯情報端末では、外部記憶装置としてＰＣを用いて情報のバックアップ処理及びリストア処理を行っているものがある（例えば、特許文献１参照。）。
【０００４】
【特許文献１】
特開２００１−１０３５５６号公報（第５頁、図４乃至図６）
【０００５】
【発明が解決しようとする課題】
携帯情報端末に記憶されている情報は複数の項目から構成されている。項目の中には、バックアップ処理やリストア処理の制限が必要なものと、そうでないものとが存在する。しかしながら、上述した従来の携帯情報端末では、このような項目の種別が全く考慮されていない。
【０００６】
ここで、バックアップ処理やリストア処理の制限が必要な項目として個人情報がある。個人情報は、携帯情報端末に固有な情報であり、例えば、携帯情報端末のセキュリティのため所有者が携帯情報端末に設定した「パスワード」、また、所有者に関する情報である「氏名」、「住所」、「電話番号」、「メールアドレス」等である。このような個人情報が、バックアップ処理により外部記憶装置に複製されたり、こうして複製された個人情報を記憶した外部記憶装置を用いてリストア処理を行って他の携帯情報端末に複製されたりすることは、抑制する必要がある。個人情報以外の情報（以下、共通情報という）としては、携帯情報端末の動作を制御するための「設定情報」や、「電話帳データ」等がある。
【０００７】
従来の携帯情報端末では、情報の項目の種別に関係無くバックアップ処理を行っていたので、複製したくない個人情報が、バックアップ処理によって外部記憶装置に複製されてしまうという不具合があった。また、従来の携帯情報端末では、リストア処理についても情報の種別に関係無く行っていたため、複製したくない個人情報が、リストア処理によって別の携帯情報端末に複製されてしまうという不具合があった。
【０００８】
本発明は上述した課題を解決するためになされたものであり、情報の所定の項目のみを処理対象としてバックアップ処理又はリストア処理できるようにすること、また、その実行指示を容易な操作で行えるようにした携帯情報端末、情報記録制御方法、及び、情報記録制御プログラムを提供することを目的とする。
【０００９】
【課題を解決するための手段】
本発明の請求項１記載の携帯情報端末は、外部記憶装置とのインターフェースを備え当該インターフェースを介して外部記憶装置へ情報を記憶するバックアップ処理を行う携帯情報端末において、複数の項目から構成される情報を記憶する情報記憶手段と、　前記情報記憶手段に記憶されている前記情報の複数の項目について予め設定されたバックアップ処理の対象とする項目を示したテーブルを記憶するテーブル記憶手段と、前記情報を構成する複数の項目全てを対象にした第１のバックアップ処理の実行、又は、予め設定されたバックアップ処理の対象とする項目のみを対象にした第２のバックアップ処理の実行の指示を行うバックアップ処理実行指示手段と、前記バックアップ処理実行指示手段から前記第１のバックアップ処理の実行が指示された場合は、前記情報記憶手段から前記情報の複数の項目を全て読み出し前記外部記憶装置に記憶させ、一方、前記バックアップ処理実行指示手段から前記第２のバックアップ処理の実行が指示された場合は、前記テーブル記憶手段に記憶された前記テーブルを参照し前記情報記憶手段から前記テーブルにて示されたバックアップ処理の対象とする項目を読み出し前記外部記憶装置に記憶させるバックアップ処理実行手段とを具備することを特徴とする。
【００１０】
また、本発明の請求項４記載の携帯情報端末は、外部記憶装置とのインターフェースを備え当該インターフェースを介して前記外部記憶装置に記憶された情報を読み出して本体内部に記憶するリストア処理を行う携帯情報端末において、複数の項目から構成される情報を記憶する情報記憶手段と、グループＩＤを記憶するグループＩＤ記憶手段と、前記リストア処理の実行を指示するリストア処理実行指示手段と、前記リストア処理実行指示手段から前記リストア処理の実行の指示が行われた場合、前記外部記憶装置に記憶されたグループＩＤが前記グループＩＤ記憶手段に記憶されている前記グループＩＤと一致するか否かを判断するグループＩＤ一致判断手段と、前記グループＩＤ一致判断手段による判断の結果一致すると判断された場合、前記外部記憶手段に記憶された予め設定されたリストア処理の対象とする項目を示したテーブルを参照し前記外部記憶手段から前記リストア処理の対象とする項目を読み出し前記情報記憶手段に記憶し、一方、前記グループＩＤ一致判断手段による判断の結果一致しないと判断された場合、リストア処理を終了するリストア処理実行手段とを具備することを特徴とする。
【００１１】
また、本発明の請求項５記載の情報記録制御方法は、外部記憶装置とのインターフェースを備え当該インターフェースを介して外部記憶装置へ情報を記憶するバックアップ処理を行う携帯情報端末にて使用される情報記録制御方法において、複数の項目から構成される情報を記憶し、前記情報の複数の項目について予め設定されたバックアップ処理の対象とする項目を示したテーブルを記憶し、前記情報を構成する複数の項目全てを対象にした第１のバックアップ処理の実行、又は、予め設定されたバックアップ処理の対象とする項目のみを対象にした第２のバックアップ処理の実行の指示を受けつけ、前記第１のバックアップ処理の実行が指示された場合は、前記情報の複数の項目の全てを読み出し前記外部記憶装置に記憶し、一方、前記第２のバックアップ処理の実行が指示された場合は、前記テーブルを参照し前記情報の中から前記テーブルにて示されたバックアップ処理の対象とする項目を読み出し前記外部記憶装置に記憶することを特徴とする。
【００１２】
また、本発明の請求項８記載の情報記録制御方法は、外部記憶装置とのインターフェースを備え当該インターフェースを介して前記外部記憶装置に記憶された情報を読み出して本体内部に記憶するリストア処理を行う携帯情報端末にて使用される情報記録制御方法において、複数の項目から構成される情報を記憶し、グループＩＤを記憶し、前記リストア処理の実行の指示を受けつけ、前記リストア処理の実行の指示が行われた場合、前記外部記憶装置に記憶されたグループＩＤが前記記憶されたグループＩＤと一致するか否かを判断し、判断の結果一致すると判断した場合、前記外部記憶手段に記憶された予め設定されたリストア処理の対象とする項目を示したテーブルを参照し前記外部記憶手段から前記リストア処理の対象とする項目を読み出して前記本体内部に記憶し、一方、判断の結果一致しないと判断された場合、リストア処理を終了することを特徴とする。
【００１３】
また、本発明の請求項９記載の情報記録制御プログラムは、外部記憶装置とのインターフェースを備えたコンピュータを動作させて前記外部記憶装置へ情報を記憶するバックアップ処理をするコンピュータで読取り可能な情報記録制御プログラムであって、複数の項目から構成される情報を記憶する情報記憶手段と、前記情報記憶手段に記憶されている前記情報の複数の項目について予め設定されたバックアップ処理の対象とする項目を示したテーブルを記憶するテーブル記憶手段と、前記情報を構成する複数の項目全てを対象にした第１のバックアップ処理の実行、又は、予め設定されたバックアップ処理の対象とする項目のみを対象にした第２のバックアップ処理の実行の指示を行うバックアップ処理実行指示手段と、前記バックアップ処理実行指示手段から前記第１のバックアップ処理の実行が指示された場合は、前記情報記憶手段から前記情報の複数の項目を全て読み出し前記外部記憶装置に記憶させ、一方、前記バックアップ処理実行指示手段から前記第２のバックアップ処理の実行が指示された場合は、前記テーブル記憶手段に記憶された前記テーブルを参照し前記情報記憶手段から前記テーブルにて示されたバックアップ処理の対象とする項目を読み出し前記外部記憶装置に記憶させるバックアップ処理実行手段とを、コンピュータに実現させることを特徴とする。
【００１４】
また、本発明の請求項１２記載の情報記録制御プログラムは、外部記憶装置とのインターフェースを備えたコンピュータを動作させて前記外部記憶装置に記憶された情報を読み出して本体内部に記憶するリストア処理をするコンピュータで読取り可能な情報記録制御プログラムであって、複数の項目から構成される情報を記憶する情報記憶手段と、グループＩＤを記憶するグループＩＤ記憶手段と、前記リストア処理の実行を指示するリストア処理実行指示手段と、前記リストア処理実行指示手段から前記リストア処理の実行の指示が行われた場合、前記外部記憶装置に記憶されたグループＩＤが前記グループＩＤ記憶手段に記憶されている前記グループＩＤと一致するか否かを判断するグループＩＤ一致判断手段と、前記グループＩＤ一致判断手段による判断の結果一致すると判断された場合、前記外部記憶手段に記憶された予め設定されたリストア処理の対象とする項目を示したテーブルを参照し前記外部記憶手段から前記リストア処理の対象とする項目を読み出し前記情報記憶手段に記憶し、一方、前記グループＩＤ一致判断手段による判断の結果一致しないと判断された場合、リストア処理を終了するリストア処理実行手段とを、コンピュータに実現させることを特徴とする。
【００１５】
これにより、本発明では、バックアップ処理、又は、リストア処理において情報の所定の項目について処理対象外とすることができる。また、情報の所定の項目を処理対象外としたバックアップ処理、又は、リストア処理の実行指示を容易な操作で行うことができる。
【００１６】
【発明の実施の形態】
（携帯情報端末の構成）
以下、図面を参照して、本発明の一実施形態に係る携帯情報端末について説明する。図１に、その内部構成を示している。
【００１７】
携帯情報端末１０は、ＣＰＵ１１、ＲＡＭ１２、ＲＯＭ１３、入力部１４、ＬＣＤ１５、外部記憶装置インターフェース１６といった構成から成る。ＣＰＵ１１は、ＲＯＭ１３に記憶されたＯＳ（基本ソフト）１３ａに基づいて携帯情報端末１０の各構成の動作を制御することで、各種の情報処理を行う。また、ＣＰＵ１１は、バックアップ・リストア処理プログラム１３ｂに基づいて、本発明の特徴であるバックアップ・リストア処理を行う。ＲＡＭ１２は、主記憶装置であり、ＳＤＲＡＭ（シンクロナスＤＲＡＭ）などで構成されている。ＲＡＭ１２は、個人・共通情報１２ａ、グループＩＤ１２ｂ、テーブル１２ｃを記憶する。
【００１８】
個人・共通情報１２ａには、個人情報と共通情報とが含まれる。個人情報は、例えば、携帯情報端末１０のセキュリティのため所有者が設定した「パスワード」や、所有者の固有情報である「氏名」、「住所」、「電話番号」、「メールアドレス」等が含まれる。共通情報は、企業内や特定のグループ内の「電話帳データ」や、企業内や特定のグループ内で複数の携帯情報端末が使用される場合に複数の携帯情報端末に対して共通に設定される設定情報である「共通設定情報」等を含む。
【００１９】
グループＩＤ１２ｂは、グループ毎に予め割り当てた固有のコード情報であり、所定の桁数の数値又は文字列である。グループＩＤ１２ｂは、携帯情報端末１０の製造時、或いは、使用前に予め設定され、ＲＡＭ１２に予め書き込まれている。グループＩＤを割り当てる対象となるグループの単位は、企業や、法人、学校や、それらのグループの下層組織である。例えば、企業の下層組織として、部、課を単位にしてグループＩＤを割り当てても良い。図２に、課ごとにグループＩＤを割り当てた場合を示す。同図では、Ａ課にグループＩＤ「Ａ」、Ｂ課にグループＩＤ「Ｂ」、Ｃ課にグループＩＤ「Ｃ」を各々割り当てている。なお、グループＩＤの割り当ては組織上の同一階層のみに限らず、上層組織のグループと下層組織のグループを混在させても良い。例えば、Ａ課、Ｂ課、Ｃ課の同一の上層組織であるＤ部に対してグループＩＤ「Ｄ」を割り当てて、更には、これらの組織の所属するＥ会社に対してグループＩＤ「Ｅ」を割り当てる。そして、グループＩＤ「Ａ」、「Ｂ」、「Ｃ」と混在させて管理することも可能である。グループＩＤは、携帯情報端末１０を管理する管理者（例えば、企業内で携帯情報端末１０を管理する人）がその値を変更できるようにしても良い。
【００２０】
テーブル１２ｃは、ＲＡＭ１２に記憶されている個人・共通情報１２ａを構成する複数の項目のうち、バックアップ・リストア処理の対象とする項目に関する情報、すなわち、バックアップ・リストア処理を許可する項目を示すフラグ情報を記憶している。テーブル１２ｃは、グループＩＤ１２ｂが予め設定されＲＡＭ１２に予め書き込まれるのと同じようなタイミングでＲＡＭ１２に予め記憶される。
【００２１】
図３に、個人・共通情報１２ａを構成する複数の項目の例を示している。項目０から項目６までは、携帯情報端末１０の動作を制御するための設定情報である。携帯情報端末１０は、ＲＡＭ１２に記憶されたこれら項目０乃至項目６の設定情報に基づいて動作する。例えば、項目０は「ＣＰＵの動作周波数の設定値」、項目１は「音量の設定値」、項目２は「使用言語の設定値（携帯情報端末１０にて使用する言語種別の設定で、例えば、日本語、英語、フランス語などのうちの１つが設定される）」、項目３は「未使用時の本体電源ＯＦＦまでの時間の設定値」、項目４は「ＬＣＤ１５の明るさの設定値」、項目５は「地域情報の設定値（携帯情報端末１０を使用する地域の設定で、例えば、日本、アメリカ、フランスなどのうちの１つが設定される）」、項目６は「ネットワーク設定値」である。項目８は「課内に所属する各従業員の電話番号の電話帳データ」である。また、項目７は、個人情報であり、所有者が携帯情報端末１０に設定した「パスワード」や、所有者に関する情報「氏名」、「住所」、「電話番号」、「メールアドレス」である。なお、ここでは、これら複数の個人情報は１つの項目として纏めて記憶されているものとして説明する。勿論、これらの個人情報を各々別の項目として記憶しても良い。
【００２２】
また、図４に、Ａ課に所属する所有者の携帯情報端末（以下、グループＡの携帯情報端末という）に予め設定されているテーブルＡを示している。バックアップ・リストア処理の対象とする項目はフラグ情報「１」が設定され、一方、バックアップ・リストア処理の対象としない項目はフラグ情報「０」が設定される。
【００２３】
テーブルＡでは、項目０乃至項目６、及び、項目８は、バックアップ・リストア処理対象の項目であるため、対応するフラグ情報が「１」に設定される。一方、項目７は、個人情報のため、バックアップを抑制するためにバックアップ・リストア処理対象としない項目として、対応するフラグ情報が「０」に設定されている。
【００２４】
また、図５に、Ｂ課に所属する所有者の携帯情報端末（以下、グループＢの携帯情報端末という）に予め設定されているテーブルＢを示している。グループＢでは、項目０乃至項目６がバックアップ・リストア処理対象の項目として対応するフラグ情報が「１」に設定され、項目７と項目８がバックアップ・リストア処理対象としない項目として対応するフラグ情報が「０」に設定されている。Ｂ課の場合、例えば、全てＰＣ１８や携帯情報端末１０を使用して電子メールで情報交換をするため一般の電話は使用しないことになっているため、個人情報に関する項目７に加えて、電話帳データに関する項目８についてもリストアしないように設定されている。
【００２５】
また、図６に、Ｃ課に所属する所有者の携帯情報端末（以下、グループＣの携帯情報端末）に予め設定されているテーブルＣを示している。グループＣでは、項目０、項目１、項目３、項目４がバックアップ・リストア処理対象の項目として対応するフラグ情報が「１」に設定され、項目２、項目５、項目６、項目７、項目８がバックアップ・リストア処理対象としない項目として対応するフラグ情報が「０」に設定されている。
【００２６】
Ｃ課の場合、例えば、課内の従業員が夫々異なった国で勤務しているため、個人情報に関する項目７、スケジュールに関する項目８に加え、言語設定に関する項目２、地域設定に関する項目５、ネットワーク設定に関する項目６についてもリストアしないように設定されている。
【００２７】
ＲＯＭ１３は、読み出し専用の内部記憶装置で、例えば、Ｆｌａｓｈ−ＲＯＭ等であり、ＯＳ（基本ソフト）１３ａ、バックアップ・リストア処理プログラム１３ｂを記憶している。ＯＳ１３ａは、ＣＰＵ１１が各構成を制御し各種の情報処理を実行する際の処理手順を記述した基本ソフトプログラムである。バックアップ・リストア処理プログラム１３ｂは、ＣＰＵ１１がバックアップ処理（図７に示す処理）、及び、リストア処理（図１３に示す処理）を実行する際の処理手順を記述したプログラムである。
【００２８】
入力部１４は、キーボード１４ａや、タブレット１４ｂなどを有する。キーボード１４ａや、タブレット１４ｂにより、個人・共通情報１２ａの入力や、ＯＳ１３ａに基づく各種の情報処理に関する指示の入力、更には、バックアップ・リストア処理プログラム１３ｂに基づくバックアップ処理及びリストア処理に関する指示の入力を行う。タブレット１４ｂは、ＬＣＤ１５の表示画面上に一体形成されている。タブレット１４ｂは、タブレット１４ｂの所定位置に対する入力ペン（図示せず）の押下に対応した座標情報を得て、それをＣＰＵ１１へ出力する。
【００２９】
ＬＣＤ１５は、入力部１４から入力、或いは、ＲＡＭ１２に記憶された個人・共通情報１２ａや、ＯＳ１３ａに基づく各種の情報処理の実行に応じた表示画像、更には、バックアップ・リストア処理プログラム１３ｂに基づくバックアップ処理及びリストア処理の実行に応じた表示画像を表示する。
【００３０】
外部記憶装置インターフェース部１６は、カードスロット１６ａと外部インターフェース１６ｂを有する。カードスロット１６ａは、メモリカード１７を携帯情報端末１０の本体内に収納可能で、且つ、メモリカード１７に対してデータを入出力可能なインターフェースを有している。外部インターフェース１６ｂは、ＰＣ１８とデータの入出力の可能なインターフェースであり、例えば、ＲＳ２３２Ｃ、ＵＳＢ、ＩｒＤＡ、無線ＬＡＮ、Ｂｌｕｅｔｏｏｔｈなどの各種のインターフェース機能を有する。
（バックアップ処理）
次に、図７を参照して、携帯情報端末１０が行うバックアップ処理について説明する。ここでは、カードスロット１６ａに収納されたメモリカード１７を対象に処理を行うものとする。なお、メモリカード１７に代えて、外部インターフェース１６ｂを介して電気的接続されたＰＣ１８を対象としても良い。
【００３１】
先ず、ＣＰＵ１１は、所有者により入力部１４が操作され、バックアップ処理の実行が指示されたか否かを判断する（ステップＳ１１）。バックアップ処理の実行の指示がない場合は（ステップＳ１１のＮｏ）、処理を終了する。
【００３２】
一方、バックアップ処理の実行の指示がされたと判断した場合（ステップＳ１１のＹｅｓ）、ＣＰＵ１１は、バックアップ・リストア処理プログラム１３ｂに基づいて以下の各ステップを実行する。すなわち、ＣＰＵ１１は、所有者より、グループ毎に設定されたバックアップ・リストア処理の対象とされた項目のみをバックアップ処理する指示（以下、グループ別バックアップ処理という）が指示されたのかを判断する（ステップＳ１２）。
【００３３】
ステップＳ１２による判断の結果、グループ別バックアップ処理の指示がされたと判断した場合（ステップＳ１２のＹｅｓ）、ＣＰＵ１１は、先ず、ＲＡＭ１２からグループＩＤ１２ｂを読み出してメモリカード１７に書き込む（ステップＳ１３）。次いで、ＣＰＵ１１は、ＲＡＭ１２からテーブル１２ｃを読み出しメモリカード１７に書き込む（ステップＳ１４）。なお、このときメモリカード１７に書き込んだテーブル１２ｃは、後述するリストア処理において使用される。そして、ＣＰＵ１１は、ＲＡＭ１２のテーブル１２ｃを参照して、個人・共通情報１２ａのバックアップ・リストア処理の対象とされている項目をＲＡＭ１２から読み出しメモリカード１７に書き込む（ステップＳ１５）。
【００３４】
ここで、図８に示すように、メモリカード１５は、ＩＤ記憶領域１７ａ、テーブル記憶領域１７ｂ、バックアップ・リストア情報記憶領域１７ｃを有する。図９に、グループＡの携帯情報端末を対象としてグループ別バックアップ処理を実行した場合のメモリカード１７の記憶内容を示している。グループＡの携帯情報端末のＲＡＭ１２には、グループＩＤ「Ａ」、「テーブルＡ」が予め記憶されている。このため、グループ別バックアップ処理を実行すると、メモリカード１７のＩＤ記憶領域１７ａには「Ａ」、テーブル記憶領域１７ｂには「テーブルＡ」、バックアップ・リストア情報記憶領域１７ｃには「項目０」、「項目１」、「項目２」、「項目３」、「項目４」、「項目５」、「項目６」、「項目８」が記憶される。
【００３５】
図１０に、グループＢの携帯情報端末を対象としてグループ別バックアップ処理を実行した場合のメモリカード１７の記憶内容を示している。グループＢの携帯情報端末のＲＡＭ１２には、グループＩＤ「Ｂ」、「テーブルＢ」が予め記憶されている。このため、グループ別バックアップ処理を実行すると、メモリカード１７のＩＤ記憶領域１７ａには「Ｂ」、テーブル記憶領域１７ｂには「テーブルＢ」、バックアップ・リストア情報記憶領域１７ｃには「項目０」、「項目１」、「項目２」、「項目３」、「項目４」、「項目５」、「項目６」が記憶される。
【００３６】
図１１に、グループＣの携帯情報端末を対象としてグループ別バックアップ処理を実行した場合のメモリカード１７の記憶内容を示している。グループＣの携帯情報端末のＲＡＭ１２には、グループＩＤ「Ｃ」、「テーブルＣ」が予め記憶されている。このため、グループ別バックアップ処理を実行すると、メモリカード１７のＩＤ記憶領域１７ａには「Ｃ」、テーブル記憶領域１７ｂには「テーブルＣ」、バックアップ・リストア情報記憶領域１７ｃには「項目０」、「項目１」、「項目３」、「項目４」が記憶される。
【００３７】
一方、上述したステップＳ１２による判断で、グループ別バックアップ処理の指示がされていないと判断した場合（ステップＳ１２のＮｏ）、ＣＰＵ１１は、一般バックアップ処理を行う（ステップＳ１６）。すなわち、ＣＰＵ１１は、ＲＡＭ１２に記憶されている個人・共通情報１２ａの項目全てをメモリカード１７に記憶する。また、一般バックアップ処理用に予め割り当てられている一般バックアップ・リストア用ＩＤをメモリカード１７に記憶する。この場合、図１２に示すように、メモリカード１７には、ＩＤ記憶領域１７ａに「一般バックアップ・リストア用ＩＤ」、バックアップ・リストア情報記憶領域１７ｃにはＲＡＭ１２に記憶されている個人・共通情報１２ａの全ての項目０〜項目８を記憶する。なお、テーブル記憶領域１７ｂには何も記憶されない。一般バックアップ・リストア用ＩＤは、予めグループＩＤとは異なる値に設定されているＩＤであり、ＲＡＭ１２の所定の領域（図示せず）に記憶されている。
【００３８】
なお、入力部１４からのバックアップ処理の実行指示、及び、一般バックアップ処理とグループ別バックアップ処理の選択指示の入力に際して、ＣＰＵ１１は、ＬＣＤ１５上に入力に必要な情報を示した画像を表示する。
（リストア処理）
次に、図１３を参照して、携帯情報端末１０が行うリストア処理について説明する。ここでは、カードスロット１６ａに収納されたメモリカード１７を対象にして処理を行うものとする。なお、メモリカード１７に代えて、外部インターフェース１６ｂを介して電気的接続されたＰＣ１８を対象としても良い。
【００３９】
先ず、ＣＰＵ１１は、所有者により入力部１４が操作され、リストア処理の実行が指示されたか否かを判断する（ステップＳ２１）。リストア処理の実行の指示がないと判断した場合は（ステップＳ２１のＮｏ）、処理を終了する。
【００４０】
一方、リストア処理の実行の指示がされたと判断した場合（ステップＳ２１のＹｅｓ）、ＣＰＵ１１は、バックアップ・リストア処理プログラム１３ｂに基づいて以下の各ステップを実行する。すなわち、ＣＰＵ１１は、メモリカード１７のＩＤ記憶領域１７ａに記憶されているＩＤを読み込み（ステップＳ２２）、読み込んだＩＤがＲＡＭ１２の所定の記憶領域に記憶した一般バックアップ・リストア用ＩＤと一致するか否かを判断する（ステップＳ２３）。
【００４１】
この判断の結果一致しないと判断した場合（ステップＳ２３のＮｏ）、次いでＣＰＵ１１は、読み込んだＩＤがＲＡＭ１２に記憶されたグループＩＤ１２ｂと一致するか否かを判断する（ステップＳ２４）。読み込んだＩＤがＲＡＭ１２に記憶されたグループＩＤ１２ｂと一致すると判断した場合（ステップＳ２４のＹｅｓ）、ＣＰＵ１１は、グループ別リストアを行う（ステップＳ２５）。すなわち、ＣＰＵ１１は、メモリカード１７のテーブル記憶領域１７ｂに記憶されているテーブルを参照し、当該テーブルにおいてフラグ情報「１」が設定されている項目のみをリストア対象として選択し、その選択した項目をバックアップ・リストア情報記憶領域１７ｃから読み出し、ＲＡＭ１２の個人・共通情報１２ａの対応する項目に上書きして記憶する。
【００４２】
一方、読み込んだＩＤがＲＡＭ１２に記憶されたグループＩＤ１２ｂと一致しないと判断した場合（ステップＳ２４のＮｏ）、メモリカード１７には他のグループの情報しか記憶されていないので、ＣＰＵ１１は処理を終了する。
【００４３】
また、上述したステップＳ２３の判断において、読み込んだＩＤがＲＡＭ１２の所定の記憶領域に記憶された一般バックアップ・リストア用ＩＤであると判断した場合、ＣＰＵ１１は、一般リストア処理を行う（ステップＳ２６）。すなわち、ＣＰＵ１１は、メモリカード１７のバックアップ・リストア情報記憶領域１７ｃに記憶されている項目全てを読み出し、ＲＡＭ１２の個人・共通情報１２ａの対応する項目に上書きして記憶する。
【００４４】
ここで、例えば、メモリカード１７の記憶内容が、図９で示す状態であるとする。この場合、グループＡの携帯情報端末にこのメモリカード１７を挿入しリストア処理の実行を指示すると、メモリカード１７にはグループＩＤに関する情報「Ａ」が記憶されているので、グループ別リストア処理が実行され、メモリカード１７に記憶されている「項目０」、「項目１」、「項目２」、「項目３」、「項目４」、「項目５」、「項目６」、「項目８」がＲＡＭ１２に上書きして記憶されることとなる。
【００４５】
また、メモリカード１７のＩＤ記憶領域１７ａにＩＤとして「一般バックアップ・リストア用ＩＤ」が記憶されていた（図１２の場合）とする。この場合、グループＡの携帯情報端末にこのメモリカード１７を挿入しリストア処理の実行を指示すると、メモリカード１７のバックアップ・リストア情報記憶領域１７ｃに記憶されている全ての項目の情報がＲＡＭ１２に上書きして記憶されることとなる。
【００４６】
なお、グループＡの携帯情報端末に挿入されたメモリカード１７にグループＢのグループＩＤが記憶されている場合（図１０の場合）や、グループＣのグループＩＤが記憶されている場合（図１１の場合）は、メモリカード１７にはグループＡの携帯情報端末に対してリストアすべき情報がないため、リストア処理が行行われない。
【００４７】
また、グループＢの携帯情報端末の場合（ＲＡＭ１２にグループＩＤ１２ｂとして「Ｂ」が記憶されているもの）には、メモリカード１７にグループＢのグループＩＤが記憶されていた場合にグループ別リストア処理が行われることとなる。
【００４８】
また、グループＣの携帯情報端末の場合（ＲＡＭ１２にグループＩＤ１２ｂとして「Ｃ」が記憶されている）、メモリカード１７にグループＣのグループＩＤが記憶されていた場合に、グループ別リストア処理が行われることとなる。
【００４９】
上述したように、バックアップ処理においては、グループ別に予め設定されたバックアップ・リストア処理の対象とする項目のみを外部記憶装置にバックアップすることが可能であるため、複製したくない項目のバックアップを抑制することが可能である。また、入力部１４により「グループ別バックアップ処理」の実行を指示する操作のみでグループ別に予め設定されたバックアップ・リストア処理の対象とする項目のみを外部記憶装置にバックアップすることが可能であるため、バックアップ対象とする項目を個別に選択するという操作が必要なく、バックアップ処理における操作性が向上する。
【００５０】
また、上述したように、リストア処理においては、グループ別に予め設定されたバックアップ・リストア処理の対象とする項目のみを外部記憶装置から読み出してリストアすることが可能であるため、複製したくない項目のリストアを抑制することが可能である。また、携帯情報端末１０は、ＲＡＭ１２に予め記憶された特定のグループＩＤと外部記憶装置に記憶されたグループＩＤとが一致する場合に、外部記憶装置に記憶されたテーブルを参照して、特定のグループに対して予め設定されているバックアップ・リストア処理の対象とする項目のみを選択しリストアを行うようにしている。従って、リストア処理の対象とする項目を個別に選択するという操作が必要なく、リストア処理における操作性が向上する。このため、特に、多数の携帯情報端末を一括してリストア処理を行う場合に、操作数を大幅に少なくすることが可能となる。
【００５１】
また、グループ別に要／不要とされる項目が取捨選択されてリストアされるので、携帯情報端末の必要な設定を手間をかけずにできる。グループ毎にリストアされる情報（すなわち、オープンにされる情報）が適宜制限される（各グループの優先度付けにもなる）ので、組織内でのセキュリティ確保にもつながる。例えば、部外秘、課外秘の設定情報は他部門に公開されないようにできる。
（第２の実施の形態）
図１４に示すように、外部記憶装置２０（メモリカードやＰＣ）において、複数のグループＩＤとそれに対応するテーブル及び項目を記憶するようにしても良い。すなわち、同図のように、外部記憶装置２０のＩＤ記憶領域２０ａには、グループＩＤとして「Ａ」、「Ｂ」、「Ｃ」が記憶されている。これらのグループＩＤに加えて、一般バックアップ・リストア用ＩＤを記憶することも可能である。また、テーブル記憶領域２０ｂには、ＩＤ記憶領域２０ａに記憶されたグループＩＤに夫々対応する「テーブルＡ」、「テーブルＢ」、「テーブルＣ」が記憶されている。バックアップ・リストア情報記憶領域２０ｃには、「テーブルＡ」、「テーブルＢ」、「テーブルＣ」において夫々バックアップ・リストア対象に設定された項目全てが記憶される。ここで、「項目２」、「項目５」、「項目６」、「項目８」は、グループＣではバックアップ・リストア対象に設定されていないが、テーブルＡで対象になっているため記憶されることとなる。
【００５２】
例えば、グループＡの携帯情報端末が、図１４の外部記憶装置２０を用いてリストア処理を行う場合は次の通りとなる。すなわち、ＩＤ記憶領域２０ａにグループＩＤとして「Ａ」が記憶されているので、ＣＰＵ１１は、グループ別リストアを行うべくテーブル記憶領域２０のテーブルＡに基づいてリストア対象とする項目を選択し、選択した項目をバックアップ・リストア情報記憶領域２０ｃから読み出し、ＲＡＭ１２の対応する項目を上書きし記憶する。グループＢの携帯情報端末の場合は、テーブル記憶領域２０のテーブルＢに基づいてリストア対象とする項目の選択及び読み出しを行い、それをＲＡＭ１２の対応する項目に上書きし記憶する。同じように、グループＣの携帯情報端末の場合は、テーブル記憶領域２０のテーブルＣに基づいてリストア対象とする項目の選択及び読み出しを行い、それをＲＡＭ１２の対応する項目に上書きし記憶する。
【００５３】
このように、複数のグループＩＤとそれに対応するテーブル及び項目を記憶した外部記憶装置（メモリカードやＰＣ）を作成することで、グループの異なる複数の携帯情報端末に対して設定（設定情報に関する項目のリストア）を行う場合も、各携帯情報端末のグループに対応する設定情報にて一括して設定することが可能である。従って、リストア処理における操作性が向上する。
【００５４】
さらに、上述した実施形態において記載した手法は、コンピュータに実行させることのできるプログラムとして、例えば磁気ディスク（ＦＤ、ＨＤＤなど）、光ディスク（ＣＤ−ＲＯＭ、ＤＶＤなど）、半導体メモリなどの記録媒体に書きこんで各種装置に適用したり、電気通信回線などの通信媒体により伝送して各種装置に適用することも可能である。本装置を実現するコンピュータは、記録媒体に記録されたプログラムを読み込み、或いは、電気通信回線などの通信媒体によりプログラムの提供を受け、このプログラムによって動作が制御されることにより、上述した処理を実行する。
【００５５】
【発明の効果】
以上詳述したように本発明では、バックアップ処理、又は、リストア処理において情報の所定の項目について処理対象外とすることを可能とした。また、情報の所定の項目を処理対象外としたバックアップ処理、又は、リストア処理の実行指示を容易な操作で行うことを可能とした。
【図面の簡単な説明】
【図１】本発明の携帯情報端末の内部構成を示す図。
【図２】所有者のグループとグループＩＤとの対応関係を示す図。
【図３】課ごとにグループＩＤを割り当てた場合の例を示す図。
【図４】テーブルＡに記憶される設定情報を示す図。
【図５】テーブルＢに記憶される設定情報を示す図。
【図６】テーブルＣに記憶される設定情報を示す図。
【図７】本発明のバックアップ処理の動作を示すフローチャート。
【図８】メモリカードの記憶領域の構成を示す図。
【図９】グループＡの携帯情報端末がグループ別バックアップを行った場合のメモリカードの記憶内容を示す図。
【図１０】グループＢの携帯情報端末がグループ別バックアップを行った場合のメモリカードの記憶内容を示す図。
【図１１】グループＣの携帯情報端末がグループ別バックアップを行った場合のメモリカードの記憶内容を示す図。
【図１２】一般バックアップを行った場合のメモリカードの記憶内容を示す図。
【図１３】本発明のリストア処理の動作を示すフローチャート。
【図１４】第２の実施の形態に係る外部記憶装置の記憶内容を示す図。
【符号の説明】
１０…携帯情報端末、１１…ＣＰＵ、１２…ＲＡＭ、１２ａ…個人・共通情報、
１２ｂ…グループＩＤ、１２ｃ…テーブル、１３…ＲＯＭ、１３ａ…ＯＳ、
１３ｂ…バックアップ・リストア処理プログラム、１４…入力部、
１４ａ…キーボード、１４ｂ…タブレット、１５…ＬＣＤ、
１６…外部記憶装置インターフェース部、１６ａ…カードスロット、
１６ｂ…外部インターフェース、１７…メモリカード、１７ａ…ＩＤ記憶領域、
１７ｂ…テーブル記憶領域、１７ｃ…バックアップ・リストア情報記憶領域、
１８…ＰＣ、２０…外部記憶装置、２０ａ…ＩＤ記憶領域、
２０ｂ…テーブル記憶領域、２０ｃ…バックアップ・リストア情報記憶領域。
【図１】
2004102465.tif 000003
【図２】
2004102465.tif 000004
【図３】
2004102465.tif 000005
【図４】
2004102465.tif 000006
【図５】
2004102465.tif 000007
【図６】
2004102465.tif 000008
【図７】
2004102465.tif 000009
【図８】
2004102465.tif 000010
【図９】
2004102465.tif 000011
【図１０】
2004102465.tif 000012
【図１１】
2004102465.tif 000013
【図１２】
2004102465.tif 000014
【図１３】
2004102465.tif 000015
【図１４】
2004102465.tif 000016